(57)【要約】【課題】より簡易に防火性能を高めることができる開口部装置を提供する。【解決手段】建物開口部の縁に沿って配置される枠体と、枠体により区画される枠内に配置される複数の障子と、障子の該障子内における温度分布の不均一を抑制する温度分布不均一抑制手段と、を備え、複数の障子は、防火性を有する第一の板ガラスと、第一の板ガラスに所定の間隔を有して配置され、第一の板ガラスより低い防火性能である第二の板ガラスと、を有した複層ガラスパネルであり、温度分布不均一抑制手段は、障子のうち、第一の板ガラス側に具備されているものとする。【選択図】図２
2013108259.tif 000002
【特許請求の範囲】
【請求項１】
建物開口部の縁に沿って配置される枠体と、
前記枠体により区画される枠内に配置される複数の障子と、
前記障子の該障子内における温度分布の不均一を抑制する温度分布不均一抑制手段と、を備え、
前記複数の障子は、防火性を有する第一の板ガラスと、前記第一の板ガラスに所定の間隔を有して配置され、前記第一の板ガラスより低い防火性能である第二の板ガラスと、を有した複層ガラスパネルであり、
前記温度分布不均一抑制手段は、前記障子のうち、前記第一の板ガラス側に具備されている、
開口部装置。
【請求項２】
前記温度分布不均一抑制手段は、前記第一の板ガラスが配置された側からの正面視で、前記複数の障子に具備される全ての框について該框の少なくとも一部が露出するように前記枠体及び前記框を構成することを特徴する請求項１に記載の開口部装置。
【請求項３】
前記温度分布不均一抑制手段は、前記第一の板ガラスが配置された側からの正面視で、前記複数の障子に具備される全ての框が隠蔽されることを特徴とする請求項１に記載の開口部装置。
【発明の詳細な説明】
【技術分野】
【０００１】
本発明は住宅や公共施設等の建物に用いられる開口部装置に関する。
【背景技術】
【０００２】
住宅や公共施設等の建物のうち、その開口部に備えられるサッシ窓等の開口部装置は、開閉可能なものについては室外との連通・遮断が自在であり、人や物の出入り、及び換気等をすることができる。また、近年では開口部装置に複層ガラスパネルが用いられることが多くなっている。これにより、断熱性や遮音性を向上しつつ、ガラスの光透過性を利用して閉鎖の姿勢でも室内に光を取り入れることができ、室内を明るくして暖をとる等、室内環境の向上が図られる。
【０００３】
一方、建物にはその機能の１つに防火性があり、防火性の具体的な内容の１つとして、延焼を抑制することが挙げられる。すなわち、火災時等に屋内側で生じた火炎等が屋外側に延焼するまでの時間をできるだけ遅くし、また、屋外側で生じた火炎等が屋内側に入る時間をできるだけ遅くすることが要求される。
このような観点から、建物の屋内外を仕切る開口部装置に対しても防火性の高い開口部装置が求められる。ところが、開口部装置に用いられるガラスパネルのガラスは一般的に、加熱による割れが生じ易い。これに対して例えば特許文献１には、複層ガラスのうちの一方を金網入りのガラス板とし、他方を金網入りガラス板、強化ガラス板、耐熱結晶化ガラス板から選ばれたガラス板とする複層ガラスが開示されている。これによれば、優れた耐熱、防火性を有する複層ガラスを提供できるとしている。
【先行技術文献】
【特許文献】
【０００４】
【特許文献１】特開２０１１−５７４７８号公報
【発明の概要】
【発明が解決しようとする課題】
【０００５】
確かに特許文献１に記載のように複層ガラスを構成すれば耐火、防火性を高めることができる。しかしながら、このように複層であるいずれのガラス板に対しても防火性や耐火性を有するガラス板を適用するとコストがかかり、また、外観を含めた設計上の自由度が低くなる傾向にある。特に、大きな面積の開口部に配置する開口部装置にあっては、用いられる板ガラス自体も大きくなるので、このような大きな板ガラスの全てに防火性を有する板ガラスを適用することは困難である場合が多い。
【０００６】
すなわち、防火性を高めるための特定の構成部材の適用はできるだけ抑制することでより多くの種類の開口部装置に対して適用可能とし、できるだけ簡易に防火性能を高めることが求められる。
【０００７】
そこで本発明は、上記の問題点に鑑み、より簡易に防火性能を高めることができる開口部装置を提供することを課題とする。
【課題を解決するための手段】
【０００８】
以下、本発明について説明する。
【０００９】
請求項１に記載の発明は、建物開口部の縁に沿って配置される枠体と、枠体により区画される枠内に配置される複数の障子と、障子の該障子内における温度分布の不均一を抑制する温度分布不均一抑制手段と、を備え、複数の障子は、防火性を有する第一の板ガラスと、第一の板ガラスに所定の間隔を有して配置され、第一の板ガラスより低い防火性能である第二の板ガラスと、を有した複層ガラスパネルであり、温度分布不均一抑制手段は、障子のうち、第一の板ガラス側に具備されている、開口部装置である。
【００１０】
請求項２に記載の発明は、請求項１に記載の開口部装置において、温度分布不均一抑制手段は、第一の板ガラスが配置された側からの正面視で、複数の障子に具備される全ての框について該框の少なくとも一部が露出するように枠体及び框を構成することを特徴する。
【００１１】
請求項３に記載の発明は、請求項１に記載の開口部装置において、温度分布不均一抑制手段は、第一の板ガラスが配置された側からの正面視で、複数の障子に具備される全ての框が隠蔽されることを特徴とする。
【発明の効果】
【００１２】
本発明によれば、温度分布不均一抑制手段により、複層ガラスの一部に防火性の低い板ガラスが用いられても従来よりもその割れを抑制することができ、簡易に防火性能を高めることが可能である。
【図面の簡単な説明】
【００１３】
【図１】第一実施形態にかかる開口部装置の室外視正面図である。
【図２】図１のＩＩ−ＩＩ線に沿った断面図である。
【図３】図１のＩＩＩ−ＩＩＩ線に沿った断面図である。
【図４】第二実施形態にかかる開口部装置の室外視正面図である。
【図５】図４のＶ−Ｖ線に沿った断面図である。
【図６】図４のＶＩ−ＶＩ線に沿った断面図である。
【図７】実施例における測定点を説明する図である。
【発明を実施するための形態】
【００１４】
本発明のこのような作用及び利得は、次に説明する発明を実施するための形態から明らかにされる。以下本発明を図面に示す実施形態に基づき説明する。ただし、本発明はこれら実施形態に限定されるものではない。
【００１５】
図１は、第一実施形態にかかる開口部装置１０を室外側から正面視した正面図である。図２は図１のＩＩ−ＩＩ線に沿った水平方向断面図である。図２では紙面下が室外側、紙面上が室内側を表している。また、図３は図１のＩＩＩ−ＩＩＩ線に沿った鉛直方向断面図である。ただし、図３では本来は障子３０の断面は表れないが、説明のため、障子３０の断面も併せて示した。図３の紙面左が室外側、紙面右が室内側である。本実施形態において開口部装置１０は、いわゆる引戸式のサッシ窓である。
【００１６】
開口部装置１０は、建物開口部の４辺の縁に沿って配置される枠体１１、及び該枠体１１の内側に具備されて引戸式に開閉する２枚の障子２０、３０を備えている。図１〜図３を参照しつつ開口部装置１０について説明する。
【００１７】
枠体１１は、上下方向に所定の間隔を有して水平に配置される長尺部材である上横枠１２と下横枠１３とを有し、上横枠１２及び下横枠１３の端部同士を渡すように配置される長尺部材である縦枠１４、１５を備えている。枠体１１は、これら上横枠１２、下横枠１３、縦枠１４、１５が枠状に組み合わされて形成されている。
【００１８】
上横枠１２、下横枠１３、及び縦枠１４、１５は、開口部装置１０の枠を形成することができればよく、その具体的な断面形状は限定されることはない。すなわち、障子２０、３０が適用される開口部装置の種類等により適切な断面形状が形成される。ただし、本実施形態では、枠体１１を温度分布不均一抑制手段の１つとして機能させるため、障子２０、３０を閉鎖した姿勢で、防火性が高められた板ガラス２６ａ、３６ａ（第一の板ガラス）が配置された側から開口部装置１０を正面視したとき、図２にＡ、Ｂ、図３にＣ、Ｄで表したように、上横框２２、３２、下横框２３、３３、縦框２４、３４が露出して現れるように枠体１１が構成されている。従って、本実施形態では障子２０、３０の閉鎖の姿勢で、室外視で上横框２２、３２、下横框２３、３３、縦框２４、３４が露出するように構成されている。
【００１９】
その他の構成は特に限定されることなく、通常の枠体が有する構成を備えていてもよい。例えば本実施形態では引戸式のサッシであるため、上横枠１２には障子２０、３０の上横框２２、３２に挿入され、上横框２２、３２をガイドするガイド片１２ａ、１２ｂが備えられている。また、下横枠１３には障子２０、３０の下横框２３、３３を案内するレールとして機能するレール片１３ａ、１３ｂが設けられている。
また、断熱性を向上する観点から枠体１１の室内側には樹脂により形成され、枠体１１の内側面に配置されたカバー部材１２ｃ、１３ｃ、１４ｃ、１５ｃが取り付けられていてもよい。
【００２０】
障子２０は、室外側に配置される外障子を形成する障子であり、框体２１、複層ガラスパネル２６、及びグレージングチャンネル２７を具備している。ここで複層ガラスパネル２６は、板ガラス２６ａ、２６ｂ、スペーサー２６ｃ、及びパネル間シール材２６ｄを有して構成されている。
【００２１】
初めに複層ガラスパネル２６について説明する。
板ガラス２６ａ、２６ｂは、いずれも矩形板状の板ガラスである。板ガラス２６ａと板ガラス２６ｂとは、その板面が対向するように所定の間隔を有して並べて配列されている。
【００２２】
板ガラス２６ａは線状の金属が網状とされて埋め込まれた網入りガラスである。すなわち、防火性を有する第一の板ガラスとして機能し、火災等による加熱があっても崩落することなく維持できる種類の板ガラスが適用される。このように、第一の板ガラスは防火性を有する板ガラスである。防火性を有する板ガラスとは、防火性が高められた公知の板ガラスを含む概念である。従って第一の板ガラスは、上記のような網入りガラスの他、耐熱強化ガラスであってもよい。本実施形態では板ガラス２６ａは、板ガラス２６ｂよりも室外側に配置されている。
【００２３】
一方、板ガラス２６ｂは、板ガラス２６ａより防火性の低いガラスであり、第二の板ガラスとして機能する。従って、板ガラス２６ｂは防火性能が高い板ガラスである必要はない。本実施形態では板ガラス２６ｂはＬＯＷ−Ｅガラスとした。本実施形態では板ガラス２６ｂは、板ガラス２６ａよりも室内側に配置されている。
【００２４】
すなわち、複層ガラスパネル２６では、複層ガラスパネル２６を構成する板ガラスのうち少なくとも１つは他の板ガラスに比べて防火性の低い板ガラスを用いてよい。従って、薄くしたり、他の機能を持たせたり、比較的安価であったり等、設計の自由度を高めることが可能となる。
特にベランダや庭先との連通のために配置される開口部装置は大型となる。このような大型の開口部装置の複層ガラスパネルの全ての板ガラスに防火性の高いものを適用すると、複層ガラスパネルが高価となってしまい、また、厚くなり外観上の問題点が生じることもある。これに対して複層ガラスパネル２６によれば、ここに具備される板ガラスのうち少なくとも１つには、他の板ガラスに比べて防火性の低い板ガラスを適用することができ、上記の問題を解消することができる。
【００２５】
スペーサー２６ｃは、板ガラス２６ａと板ガラス２６ｂとの間隙により形成される空間のうち、その外周端部よりやや内側に、板ガラス２６ａ、２６ｂの辺に沿って配置されている。従って、スペーサー２６ｃは、板ガラス２６ａと板ガラス２６ｂとの間に矩形枠状に形成されている。スペーサー２６ｃは公知のものを用いることができ、板ガラス２６ａと板ガラス２６ｂとの間隙を所定の大きさに維持することを主要な機能とする。ただし、スペーサー２６ｃに乾燥剤を含ませることにより、スペーサー２６ｃと板ガラス２６ａ、２６ｂとに囲まれる空間の内側を適切な湿度に保つことが可能となる。
【００２６】
パネル間シール材２６ｄは、板ガラス２６ａと板ガラス２６ｂとの間隙のうち、スペーサー２６ｃよりも外側となる当該間隙の外周端部に充填されている。パネル間シール材２６ｄは、板ガラス２６ａと板ガラス２６ｂとを強固に接着固定しつつ、水密性（密封性）を保持することを主要な機能とする。かかる観点から、パネル間シール材２６ｄとしてはシリコン系、ポリサルフィド系の接着剤が用いられることが好ましい。
【００２７】
なお、本実施形態では、２枚の板ガラス２６ａ、２６ｂを具備する例を示したが、これに限定されることはなく、３枚以上の板ガラスを備えるものであってもよい。その場合、少なくとも１つは板ガラス２６ａのように防火性を有する第一の板ガラスであり、少なくとも他の１つは板ガラス２６ｂのように、板ガラス２６ａよりも防火性能が低い第二の板ガラスである。
【００２８】
グレージングチャンネル２７は、図２、図３に表れる断面を有して、該断面とは直交する方向（紙面の奥／手前方向）に延びるように構成された長尺の部材である。図２、図３からわかるように、グレージングチャンネル２７は断面が略コ字状であり、底片と、この底片の両端から同じ方向に立設される２つの立設片と、を備えている。従って、立設片間に間隙ができ、底片が配置されない側には断面コ字状の内側に通じる開口部が形成される。
そしてグレージングチャンネル２７は、当該開口部から立設片間に板ガラス２６ａ、２６ｂの外周端部を差し込むように配置する。本実施形態では公知のグレージングチャンネルを用いることができる。
【００２９】
次に框体２１について説明する。框体２１は、長尺の上横框２２、下横框２３、戸先框としての縦框２４、及び召し合せ框としての縦框２５を有し、これが矩形枠状に組み合わされている。縦框、上横框、及び下横框は框体を形成することができればよく、その具体的な断面形状は限定されることはない。すなわち、障子が適用される開口部装置の種類等により適切な断面形状が選択される。本実施形態の框体２１は引き戸式の開口部装置の外障子に用いられるので、縦框２４が戸先框、縦框２５が召し合わせ框として機能し、上横框２２及び下横框２３が上横枠１２、下横枠１３にガイドされる框として機能する。
【００３０】
そして公知のように、框体２１を構成する上横框２２、下横框２３、及び縦框２４、２５はいずれも、上記グレージングチャンネル２７の少なくとも一部、及び板ガラス２６ａ、２６ｂの端部を挿入可能な溝部を具備している。そして、図２、図３からわかるように、板ガラス２６ａ、２６ｂの端部及びグレージングチャンネル２７の一部が框体２１の当該溝部の内側に挿入され、障子２０が形成される。
【００３１】
障子３０は、室内側に配置される内障子を形成する障子であり、框体３１、複層ガラスパネル３６、及びグレージングチャンネル３７、具備している。ここで複層ガラスパネル３６は、板ガラス３６ａ、３６ｂ、スペーサー３６ｃ、及びパネル間シール材３６ｄを有して構成されている。
【００３２】
ここで、複層ガラスパネル３６、及びグレージングチャンネル３７については、上記した障子２０の複層ガラスパネル２６及びグレージングチャンネル２７と共通するので説明を省略する。
【００３３】
框体３１は、長尺の上横框３２、下横框３３、戸先框としての縦框３４、及び召し合せ框としての縦框３５を有し、これが矩形枠状に組み合わされている。縦框、上横框、及び下横框は框体を形成することができればよく、その具体的な断面形状は限定されることはない。すなわち、障子が適用される開口部装置の種類等により適切な断面形状が選択される。本実施形態の框体３１は引き戸式の開口部装置の内障子に用いられるので、縦框３４が戸先框、縦框３５が召し合わせ框として機能し、上横框３２及び下横框３３が上横枠１２、下横枠１３にガイドされる框として機能する。
【００３４】
ただし、本実施形態における縦框３５は、温度分布不均一抑制手段の１つとして機能するために、図２からわかるように、障子２０、３０の閉鎖において、室外視で縦框の一部（図２にＥで示した部分）が露出するように見付方向が長く形成されている。
【００３５】
また、公知のように、框体３１を構成する上横框３２、下横框３３、及び縦框３４、３５はいずれも、上記グレージングチャンネル３７の少なくとも一部、及び板ガラス３６ａ、３６ｂの端部を挿入可能な溝部を具備している。そして、図２、図３からわかるように、板ガラス３６ａ、３６ｂの端部及びグレージングチャンネル３７の一部が框体３１の当該溝部の内側に挿入され、障子３０が形成される。
【００３６】
以上説明した２枚の障子２０、３０が枠体１１の枠内に引戸式に配置されることにより開口部装置１０が形成されている。詳しくは次の通りである。すなわち、図３からわかるように、上横枠１２のガイド片１２ａ、１２ｂに障子２０、３０の上横框２２、３２がガイドされ、下横枠１３のレール片１３ａ、１３ｂに障子２０、３０の下横框２３、３３に具備された戸車２８、３８が載置されることにより、障子２０、３０を引戸式に開閉できる。
【００３７】
開口部装置１０では、図２、図３からわかるように、その閉鎖の姿勢で図２、図３にＡ〜Ｅで示したように、温度分布不均一抑制手段として機能する枠体１１及び縦框３５により、上横框２２、３２、下横框２３、３３、縦框２４、３４、縦框２５、３５の全ての框において、その少なくとも一部が室外視で露出するように構成されている。これは防火性が高められた第一の板ガラス２６ａ、３６ａが配置された側からの正面視でいずれの框についてもその少なくとも一部が露出するように構成されていればよい。
【００３８】
このような開口部装置１０によれば、火災等により、開口部装置１０が室外側（第一の板ガラスが配置された側）から加熱された場合であっても、防火性が高められた第一の板ガラス２６ａ、３６ａのみでなく、防火性が必ずしも高められていない第二の板ガラス２６ｂ、３６ｂの割れを抑制することができる。
この理由は必ずしも明確ではないが、全ての框においてその少なくとも一部を露出することにより、かかる方向からの加熱に対しては、熱伝導率が高い框が先に温度が上昇することから、障子２０、３０が外周部から均等に温度上昇し、各障子内における温度分布にムラが生じ難いことが考えられる。
【００３９】
このように、開口部装置１０によれば、火災等による加熱があっても第二の板ガラスの割れを遅らせることができ、簡易に防火性能を向上させることが可能である。そしてこのような第二の板ガラスとして必ずしも防火性が高められた板ガラスを用いる必要がないので、薄くしたり、他の機能を持たせたり、比較的安価であったり等、設計の自由度を高めることが可能となる。
【００４０】
図４は、第二実施形態にかかる開口部装置５０を室外視した正面図である。図５は図４のＶ−Ｖ線に沿った水平方向断面図である。図５では紙面下が室外側、紙面上が室内側を表している。また、図６は図４のＶＩ−ＶＩ線に沿った鉛直方向断面図である。図６では紙面左が室外側、紙面右が室内側である。本実施形態において開口部装置５０は、いわゆる上げ下げ式のサッシ窓である。また、本実施形態の開口部装置では、閉鎖の姿勢で２つの障子６０、７０が室内外方向にずれることなく同一面上に並べられる。従って開口部装置５０の閉鎖の姿勢では、障子６０の下横框６３と障子７０の上横框７２とが並べられて配置される。
なお、ここでは公知の上げ下げ窓に備えられている部材を一部省略しているが、当該省略された部材については、上げ下げ窓として機能するために必要とされる公知のものが適用されている。
【００４１】
開口部装置５０は、建物開口部の４辺の縁に沿って配置される枠体５１、該枠体５１の内側に具備されて上げ下げ式に開閉する２枚の障子６０、７０、及び隠蔽部材８０を備えている。図４〜図６を参照しつつ開口部装置５０について説明する。
【００４２】
枠体５１は、上下方向に所定の間隔を有して水平に配置される長尺部材である上横枠５２と下横枠５３とを有し、上横枠５２及び下横枠５３の端部同士を渡すように配置される長尺部材である縦枠５４、５５を備えている。枠体５１は、これら上横枠５２、下横枠５３、縦枠５４、５５が枠状に組み合わされて形成されている。
【００４３】
上横枠５２、下横枠５３、及び縦枠５４、５５は、開口部装置５０の枠を形成することができればよく、その具体的な断面形状は限定されることはない。すなわち、障子６０、７０が適用される開口部装置の種類等により適切な断面形状が形成される。ただし、本実施形態では、枠体５１は温度分布不均一抑制手段として機能するため、障子６０、７０を閉鎖した姿勢で、防火性が高められた板ガラス６６ａ、７６ａが配置された側から開口部装置５０を正面視したとき、図５、図６に破線で表したように、上横框６２、下横框７３、縦框６４、６５、７４、７５（縦框６５、７４は不図示。）が、枠体５１により隠蔽されるように構成されている。従って、本実施形態では障子６０、７０の閉鎖の姿勢で、室外視で上横框６２、下横框７３、縦框６４、６５、７４、７５が隠蔽される。
【００４４】
その他の構成は特に限定されることなく、通常の枠体が有する構成を備えていてもよい。例えば本実施形態では上げ下げ式のサッシであるため、縦枠５４、５５には上げ下げの対象となる障子６０、７０をガイドする溝を有している。
また、断熱性を向上する観点から枠体５１の室内側には樹脂により形成され、枠体５１の内側面に具備されたカバー部材５２ａ、５３ａ、５４ａ、５５ａが取り付けられていてもよい。
【００４５】
障子６０は、閉鎖の姿勢で上側に配置される上障子を形成する障子であり、框体６１、複層ガラスパネル６６、及びグレージングチャンネル６７を具備している。ここで複層ガラスパネル６６は、板ガラス６６ａ、６６ｂ、スペーサー６６ｃ、パネル間シール材６６ｄを有して構成されている。
【００４６】
ここで、複層ガラスパネル６６、及びグレージングチャンネル６７については、上記した第一実施形態に含まれる障子２０の複層ガラスパネル２６及びグレージングチャンネル２７と共通するので説明を省略する。
【００４７】
框体６１は、長尺の上横框６２、下横框６３、縦框６４、６５を有し、これが矩形枠状に組み合わされている。縦框、上横框、及び下横框は框体を形成することができればよく、その具体的な断面形状は限定されることはない。すなわち、障子が適用される開口部装置の種類等により適切な断面形状が選択される。本実施形態の框体６１は上げ下げ式の開口部装置の上障子に用いられるので、縦框６４、６５が縦枠５４、５５にガイドされる框として機能する。
【００４８】
そして公知のように、框体６１を構成する上横框６２、下横框６３、及び縦框６４、６５はいずれも、グレージングチャンネル６７の少なくとも一部、及び板ガラス６６ａ、６６ｂの端部を挿入可能な溝部を具備している。そして、図５、図６からわかるように、板ガラス６６ａ、６６ｂの端部及びグレージングチャンネル６７の一部が框体６１の当該溝部の内側に挿入され、障子６０が形成される。
【００４９】
障子７０は、閉鎖の姿勢で下側に配置される下障子を形成する障子であり、框体７１、複層ガラスパネル７６、及びグレージングチャンネル７７を具備している。ここで複層ガラスパネル７６は、板ガラス７６ａ、７６ｂ、スペーサー７６ｃ、パネル間シール材７６ｄを有して構成されている。
【００５０】
ここで、複層ガラスパネル７６、及びグレージングチャンネル７７については、上記した第一実施形態に含まれる障子２０の複層ガラスパネル２６及びグレージングチャンネル２７と共通するので説明を省略する。
【００５１】
框体７１は、長尺の上横框７２、下横框７３、縦框７４、７５（縦框７４は不図示）を有し、これが矩形枠状に組み合わされている。縦框、上横框、及び下横框は框体を形成することができればよく、その具体的な断面形状は限定されることはない。すなわち、障子が適用される開口部装置の種類等により適切な断面形状が選択される。本実施形態の框体７１は上げ下げ式の開口部装置の下障子に用いられるので、縦框７４、７５が縦枠５４、５５にガイドされる框として機能する。
【００５２】
そして公知のように、框体７１を構成する上横框７２、下横框７３、及び縦框７４、７５はいずれも、グレージングチャンネル７７の少なくとも一部、及び板ガラス７６ａ、７６ｂの端部を挿入可能な溝部を具備している。そして、図６からわかるように、板ガラス７６ａ、７６ｂの端部及びグレージングチャンネル７７の一部が框体７１の当該溝部の内側に挿入され、障子７０が形成される。
【００５３】
隠蔽部材８０は、温度分布不均一抑制手段として機能し、図５、図６からわかるように、図６に示した断面を有して一方に長い形態を有する板状の部材である。隠蔽部材８０は、障子６０の下横框６３のうち第一の板ガラス６６ａが配置された側面（本実施形態では室外側面）に具備され、その長手方向が下横框６３の長手方向に沿って配置されている。
隠蔽部材８０は、図６からわかるように、上端部は障子６０の下横框６３を室外視から隠蔽する位置にまで達するように設けられている。一方下端部は、下横框６３より下方に延び、開口部装置５０の閉鎖の姿勢で障子７０の上横框７２を隠蔽することができる位置にまで達すように形成されている。
隠蔽部材８０の材料は特に限定されることはないが、火事等の加熱にも耐えることができる観点から金属であることが好ましい。
【００５４】
以上説明した２枚の障子６０、７０、及び隠蔽部材８０が枠体５１の枠内に上げ下げ式に配置されることにより開口部装置５０が形成されている。詳しくは次の通りである。すなわち、図５、図６からかわるように、閉鎖の姿勢で、障子６０の上横框６２が上横枠５２に、縦框６４、６５が縦枠５４、５５にそれぞれ配置される。一方、閉鎖の姿勢で障子７０の下横框７３が下横枠５３に、縦框７４、７５が縦枠５４、５５にそれぞれ配置される。本実施形態では障子６０の下横框６３と障子７０の上横框７２とは閉鎖の姿勢て上下に隣り合うように配置される。
そして、不図示であるが公知の各部材により、縦框６４、６５、７４、７５が縦枠５４、５５にそれぞれガイドされることにより障子６０、７０が開閉可能とされている。
【００５５】
開口部装置５０では、図５、図６からわかるように、その閉鎖の姿勢で図５、図６に破線で示したように、全ての上横框６２、７２、下横框６３、６３、縦框６４、７４、縦框６５、７５の全てが温度分布不均一抑制手段として機能する枠体５１又は隠蔽部材８０により室外視で隠蔽されるように構成されている。
すなわち、防火性が高められた第一の板ガラス６６ａ、６６ａが配置された側からの正面視でいずれの框も他の部材により隠蔽されていればよい。
【００５６】
このような開口部装置５０によっても、火災等により、開口部装置５０が室外側（第一の板ガラスが配置された側）から加熱された場合であっても、防火性が高められた第一の板ガラス６６ａ、７６ａのみでなく、防火性が必ずしも高められていない第二の板ガラス６６ｂ、７６ｂの割れを抑制することができる。
この理由は必ずしも明確ではないが、全ての框を隠蔽することにより、かかる方向からの加熱に対しては、框が同じように温度が上昇することから、障子６０、７０が外周部から均等に温度上昇し、各障子における温度分布にムラが生じ難いことが考えられる。
【００５７】
このように、開口部装置５０によれば、火災等による加熱があっても第二の板ガラスの割れを遅らせることができ、簡易に防火性能を向上させることが可能である。そしてこのような第二の板ガラスとして必ずしも防火性が高められた板ガラスを用いる必要がないので、薄くしたり、他の機能を持たせたり、比較的安価であったり等、設計の自由度を高めることが可能となる。
【実施例】
【００５８】
実施例では、第一実施形態の開口部装置１０に相当する引戸式の開口部装置を製作し、室外側から加熱した時の内障子（障子３０）の温度分布を測定した。図７に温度測定位置（Ｐ、Ｑ、Ｒ、Ｓ）を表した。ここでＰは内障子の中央である。また、実施例の主要な条件は次の通りである。
・図２にＥで示した大きさ：１０ｍｍ
・図２にＦで示した大きさ：３５ｍｍ
・加熱条件：耐火標準曲線による２０分加熱をおこなった。より具体的には平均炉内温度をＴ（℃）とし、経過時間をｔ（分）としたとき、次の式による加熱である。
Ｔ＝３４５・ｌｏｇ１０（８・ｔ＋１）＋２０
【００５９】
比較例として、図２にＥで示した大きさを０とし、他の条件を同じとした開口部装置についても同様に温度分布を測定した。
【００６０】
表１に測定結果を示す。表１は、加熱開始から１９分後における各点の温度分布である。
【００６１】
【表１】
2013108259.tif 000003
【００６２】
表１からわかるように、比較例では位置Ｑにおいて温度が位置Ｒ、Ｓに比べ極端に低くなっているので温度分布が大きい。これに対して実施例では位置Ｑも位置Ｒ、Ｓの温度に近付いており、温度分布の均一化が図れたことがわかる。
【符号の説明】
【００６３】
１０  開口部装置
１１  枠体
２０  障子
２１  框体
２６  複層ガラスパネル
２６ａ  板ガラス（第一の板ガラス）
２６ｂ  板ガラス（第二の板ガラス）
３０  障子
３１  框体
３６  複層ガラスパネル
３６ａ  板ガラス（第一の板ガラス）
３６ｂ  板ガラス（第二の板ガラス）
５０  開口部装置
５１  枠体
６０  障子
６１  框体
６６  複層ガラスパネル
６６ａ  板ガラス（第一の板ガラス）
６６ｂ  板ガラス（第二の板ガラス）
７０  障子
７１  框体
７６  複層ガラスパネル
７６ａ  板ガラス（第一の板ガラス）
７７ｂ  板ガラス（第二の板ガラス）
８０  隠蔽部材（温度分布不均一抑制手段）
【図１】
2013108259.tif 000004
【図２】
2013108259.tif 000005
【図３】
2013108259.tif 000006
【図４】
2013108259.tif 000007
【図５】
2013108259.tif 000008
【図６】
2013108259.tif 000009
【図７】
2013108259.tif 000010